(57)【特許請求の範囲】
【請求項１】
踏板の突出段鼻部の下方の、側げたの内向き側面に張り付けられるスペーサー材と、スペーサー材が張り付けられていない側げたの、人の目に触れる内向き側面に張り付けられる、階段の１段に対応した単位化粧側板と、側げたの傾斜上面及び単位化粧側板の傾斜上面を覆う長尺化粧材とを有し、前記長尺化粧材の下面に単位化粧側板の傾斜上縁が嵌まり込む溝が形成されている階段のリフォーム用建材の組合せ。
【請求項２】
踏板の突出段鼻部の下方の、側げたの内向き側面に張り付けられるスペーサー材と、スペーサー材が張り付けられていない側げたの、人の目に触れる内向き側面に張り付けられると共にスペーサー材の左右幅より厚みが薄くなされた階段の１段に対応した単位化粧側板と、側げたの傾斜上面及び単位化粧側板の傾斜上面を覆う長尺化粧材と、スペーサー材及び踏板の上面に張り付けられた化粧踏板に沿うようにして単位化粧側板に張り付けられると共に左右幅がスペーサー材の左右幅から単位化粧側板の厚みを引いた長さとなされている側面形状逆Ｌ字状の幅木とを有し、前記長尺化粧材の下面に単位化粧側板の傾斜上縁が嵌まり込む溝が形成されている階段のリフォーム用建材の組合せ。
【発明の詳細な説明】
【０００１】
【発明の属する技術分野】
本発明は階段のリフォーム用建材の組合せに関する。
【０００２】
【従来の技術】
従来、この種の階段のリフォーム用建材の組合せとして以下の如きものは知られている。
踏板に張り付けられる化粧踏板と、蹴込板に張り付けられる化粧蹴込板と、踏板の突出段鼻部に取り付けられる段鼻装飾材とを有するものは知られている。
【０００３】
【従来技術の欠点】
前記従来の階段のリフォーム用建材の組合せには以下の如き欠点があった。
従来の階段のリフォーム用建材の組合せでは、側げたの、人の目に触れる内向き側面を化粧することが出来なかったので、側げたの、人の目に触れる内向き側面が古いままに残ってリフォームを完全に行なうことが出来ないという欠点があった。
【０００４】
【前記欠点を解消するための手段】
本発明は前記欠点を解消するために以下の如き手段を採用した。
▲１▼請求項１の発明は、踏板の突出段鼻部の下方の、側げたの内向き側面に張り付けられるスペーサー材と、スペーサー材が張り付けられていない側げたの、人の目に触れる内向き側面に張り付けられる、階段の１段に対応した単位化粧側板と、側げたの傾斜上面及び単位化粧側板の傾斜上面を覆う長尺化粧材とを有し、前記長尺化粧材の下面に単位化粧側板の傾斜上縁が嵌まり込む溝が形成されているのものである。
▲２▼請求項２の発明は、踏板の突出段鼻部の下方の、側げたの内向き側面に張り付けられるスペーサー材と、スペーサー材が張り付けられていない側げたの、人の目に触れる内向き側面に張り付けられると共にスペーサー材の左右幅より厚みが薄くなされた階段の１段に対応した単位化粧側板と、側げたの傾斜上面及び単位化粧側板の傾斜上面を覆う長尺化粧材と、スペーサー材及び踏板の上面に張り付けられた化粧踏板に沿うようにして単位化粧側板に張り付けられると共に左右幅がスペーサー材の左右幅から単位化粧側板の厚みを引いた長さとなされている側面形状逆Ｌ字状の幅木とを有し、前記長尺化粧材の下面に単位化粧側板の傾斜上縁が嵌まり込む溝が形成されているものである。
【０００５】
【発明の効果】
本発明は前記した如き構成によって以下の如き効果を奏する。
▲１▼請求項１の発明によれば、単位化粧側板によって側げたの、人の目に触れる内向き側面も化粧出来るので、リフォームをより完璧なかたちで行なうことが出来る。また、長尺化粧材の下面に形成された溝に単位化粧側板の傾斜上縁が嵌まるようになされているので、単位化粧側板の傾斜上縁が側げたの傾斜上面よりやや突出していても、長尺化粧材を側げたの傾斜上面に密接状態で取り付けることが出来る。ところで、作業者（大工）は大きめの単位化粧側板を施工現場に対応して切断するのであるが（段落番号００１２参照）、単位化粧側板を一旦小さく切断してしまうと、その切断された単位化粧側板は使いものにならないので、作業者は単位化粧側板を僅かに大きめに切断する傾向にあり、そのため、ほとんどの切断後の単位化粧側板の傾斜縁は側げたの傾斜上面より突出することになり、そのような状況を勘案した際、前記効果が極めて有効な効果であることが理解出来るであろう。更に、踏板の突出段鼻部の下方の、側げたの内向き側面に張り付けられるスペーサー材を有しているので、即ち、単位化粧側板をスペーサー材を含んだ複雑な形状にする必要がないので、単位化粧側板の形状を可能な範囲でシンプルなものとすることが出来る。
▲２▼請求項２の発明によれば、幅木で、単位化粧側板とスペーサー材との境目及び単位化粧側板と化粧踏板との境目を隠蔽することが出来るので、単位化粧側板の、スペーサー材や化粧踏板に対向する縁の加工精度を余り気にしなくてもよい。
【０００６】
【発明の実施の形態】
以下に、発明の実施の形態を説明する。
なお、この説明において、前とは図１右側を、後とは同左側をいい、左とは図１紙面裏側を、右とは同表側をいう。
【０００７】
竣工時の階段１は、建物の左右の側壁２に取り付けられた左右一対の側げた３と、左右の側げた３の相互に対向する内向き側面３ａに相互に対向するようにして形成された前方及び右又は左方に開放した踏板嵌入溝５に嵌められた踏板６と、左右の側げた３の相互に対向する内向き側面３ａに相互に対向するようにして形成された下方及び右又は左方に開放した蹴込板嵌入溝７に嵌められた蹴込板８とを有していた。
【０００８】
前記階段１が以下のようにリフォームされている。
【０００９】
［第１工程］
化粧蹴込板１０を、左右幅が「Ｌ」（図２参照）で、上下長さが「Ｍ」（図１参照）となるように切断した後、蹴込板８に張り付る。この説明から明らかなごとく、化粧蹴込板１０は工場出荷時には、ほとんどの施工現場の階段１（蹴込板８）に対応出来るように切り除き部分を有する、大きめの形状のものとなされている。なお、以下に説明する部材も同様に切り除き部分を有する大きめ又は長めの形状となされている。
張り付けは、接着剤・釘等公知の固定手段により行なわれる。
【００１０】
［第２工程］
化粧踏板１１を、左右幅が「Ｌ」で、前後長さが「Ｎ」（図１参照）となるように切断した後、踏板６に、突出段鼻部９の上面を覆わないようにして張り付ける。
Ｎ＝Ｑ−Ｏ−Ｐ（図１参照）
【００１１】
［第３工程］
厚みが「Ｒ」（図２参照）のスペーサー素材（工場出荷時において板状の素材）を、左右幅が「Ｓ」（図２参照）で、高さが「Ｔ」（図１参照）となるように切断してスペーサー材１３を得、そのスペーサー材１３を踏板６の突出段鼻部９の下方の、側げた３の内向き側面３ａに張り付ける。
【００１２】
［第４工程］
単位化粧側板１６を図４の実線で示すごとき階段１の１段に対応した形状にして、スペーサー材１３が張り付けられていない側げた３の、人の目に触れる内向き側面３ａに張り付ける。なお、１６ａは単位化粧側板１６の傾斜上縁、１６ｂは単位化粧側板１６の水平縁、１６ｃは単位化粧側板１６の垂直縁である。
なお、作業者（大工）は単位化粧側板１６を切断する際、単位化粧側板１６を一旦小さく切断してしまうと、その切断された単位化粧側板１６は使いものにならないので、作業者は単位化粧側板１６を僅かに大きめに切断する傾向にあり、そのため、ほとんどの切断後の単位化粧側板１６の傾斜縁１６ａは側げた３の傾斜上面より突出することになる。
【００１３】
［第５工程］
水平部１９と垂直部２０とよって逆Ｌ字状となされた幅木１８［左右幅は「Ｗ」（図２参照）］を、水平部１９の長さが「Ｕ」（図１参照）となるように、且つ、垂直部２０の高さが「Ｖ」となるように切断した後、スペーサー材１３及び化粧踏板１１に沿うようにして単位化粧側板１６に張り付ける。
なお、左右幅「Ｗ」は、スペーサー材１３の左右幅「Ｓ」から単位化粧側板１６の厚みを引いた長さとなされている。
【００１４】
［第６工程］
段鼻装飾材本体２２を左右長さが「Ｘ」（図２参照）となるように切断して、踏板６の突出段鼻部９に張り付ける。その後、滑り止め材２３を左右長さが「Ｘ」（図２参照）となるように切断して、段鼻装飾材本体２２の凹所２４に張り付ける。
【００１５】
［第７工程］
下面に単位化粧側板１６の傾斜上縁１６ａが嵌まり込む溝２７が形成されている長尺化粧材２６を、単位化粧側板１６の傾斜上縁１６ａが溝２７に嵌まり込むようにして、側げた３の傾斜上面及び単位化粧側板１６の傾斜上面に張り付ける。
なお、下から順次長尺化粧材２６を張って行き、最上部に張り付けられる長尺化粧材２６を残りの側げた３に対応した長さに切断する。
【００１６】
【変形例等】
以下に変形例等について説明を加える。
（１）単位化粧側板１６の形状は、実施の形態のものに限定されない。
（２）側げた３の形状は任意である。
（３）特許請求の範囲において、「スペーサー材が張り付けられていない側げたの、人の目に触れる内向き側面」とは、スペーサー材が張り付けられていない側げたの、人の目に触れる内向き側面全て及びスペーサー材が張り付けられていない側げたの、人の目に触れる内向き側面の大部分のいずれをも含むものである。換言すれば、リフォーム完了後に、単位化粧側板を含むリフォーム用建材のいずれかで、側げたの、人の目に触れる内向き側面が覆われるようになればよいのであるから、単位化粧側板で側げたの、人の目に触れる内向き側面の全てを覆う必要はないこともあるものである。
【図面の簡単な説明】
【図１】本発明の実施の形態を示す要部縦断面図である。
【図２】図１のＩＩ−ＩＩ線に沿う中間省略の断面図である。
【図３】図１のＩＩＩ−ＩＩＩ線に沿う中間省略の断面図である。
【図４】単位化粧側板を示す側面図である。
【符号の説明】
３  側げた
３ａ  内向き側面
６  踏板
９  突出段鼻部
１３  スペーサー材
１６  単位化粧側板
１６ａ  傾斜上縁
１６ｂ  水平縁
１６ｃ  垂直縁
２６  長尺化粧材
２７  溝
【図１】
0004428826.tif 000002
【図２】
0004428826.tif 000003
【図３】
0004428826.tif 000004
【図４】
0004428826.tif 000005